Podtech/llm-jp-corpus-v4-ja_patent huggingface dataset:
(57)【要約】【課題】味付け汁が白米に均一にむらなく馴染み、味に濃淡が生じなく、接合力にムラがなく、おむすびに成形しやすい、鶏めしの製造方法及び鶏めしおむすびの提供【解決手段】この発明の鶏めしの製造方法は、 釜の中の炊きあがった白米の表面に、味付けをした鶏肉とそぎ牛蒡からなる具材を載せ広げたのち、前記釜を再加熱し、ついで前記加熱を止め、味付け汁が浸透した白米を蒸らしたのち、前記味付け汁が浸透した白米と前記具材をよくかき混ぜることを特徴とするである。鶏めしおむすびは、前記方法により製造した鶏めしをおむすび状に成形したことを特徴とするものである。【選択図】図１
2009189309.tif 000002
【特許請求の範囲】
【請求項１】
釜の中の炊きあがった白米の表面に、味付けをした鶏肉とそぎ牛蒡からなる具材を載せ広げたのち、前記釜を再加熱し、ついで前記加熱を止め、味付け汁が浸透した白米を蒸らしたのち、前記味付け汁が浸透した白米と前記具材をよくかき混ぜることを特徴とする鶏めしの製造方法
【請求項２】
請求項１に記載した方法により製造した鶏めしをおむすび状に成形したことを特徴とする鶏めしおむすび
【発明の詳細な説明】
【技術分野】
【０００１】
本発明は、鶏めしの製造方法及び鶏めしおむすびに関するものである。
【背景技術】
【０００２】
従来、鶏めしの具材は、まずごぼうをささがきにして、水にさらしておき、とり肉を小さくさいの目に切り、サラダ油をフライパンで熱し、とり肉を炒め、火が通ったらごぼうを加え炒め、ごぼうが透き通ってきたら、砂糖、しょうゆ、酒を入れて煮込み、あまり水分を飛ばさずに、味付け汁を残しておく。白米は炊く約30分前に洗ってざるにあげ、少し固めに炊き、炊き上がったら、前記具材を混ぜ合わせ、約15分ほど蒸らして製造していた。
【０００３】
しかし、この製造方法では、味付け汁が白米に均一にむらなく馴染まず、味に濃淡が生じるという問題点と味に濃淡が生じると、接合力にムラが生じ、おむすびに成形しにくいという問題点があった。
【非特許文献１】大分県一村一品吉野鶏めし：制作・・有限会社エビフーズ
【発明の開示】
【発明が解決しようとする課題】
【０００４】
この発明は、背景技術で記述した問題点を解消するためになされたもので、味付け汁が白米に均一にむらなく馴染み、味に濃淡が生じなく、接合力にムラがなく、おむすびに成形しやすい、鶏めしの製造方法及び鶏めしおむすびの提供を目的とするものである。
【課題を解決するための手段】
【０００５】
この発明の鶏めしの製造方法は、釜の中の炊きあがった白米の表面に、味付けをした鶏肉とそぎ牛蒡からなる具材を載せ広げたのち、前記釜を再加熱し、ついで前記加熱を止め、味付け汁が浸透した白米を蒸らしたのち、前記味付け汁が浸透した白米と前記具材をよくかき混ぜることを特徴とするものである。
【０００６】
この発明の鶏めしおむすびは、前記製造方法により製造した鶏めしをおむすび状に成形したことを特徴とするものである。
【発明の効果】
【０００７】
この発明は上述のように構成されているので、次のような効果を奏する。
（１）味付け汁が白米に均一にむらなく馴染み、味に濃淡が生じない。
（２）接合力にムラがなく、おむすびに成形しやすい。
（３）味に濃淡がないので、食感がよい。
【発明を実施するための最良の形態】
【０００８】
味付け汁が白米に均一にむらなく馴染み、味に濃淡が生じなく、接合力にムラがなく、おむすびに成形しやすい、鶏めしの製造方法及び鶏めしおむすび提供という目的を釜の中の炊きあがった白米の表面に、味付けをした鶏肉とそぎ牛蒡からなる具材を載せ広げたのち、前記釜を再加熱し、ついで前記加熱を止め、味付け汁が浸透した白米を蒸らしたのち、前記味付け汁が浸透した白米と前記具材をよくかき混ぜることにより実現できた。
【実施例】
【０００９】
本発明の実施の一例を図１を参照しながら説明するに、鶏めしの製造方法は、釜の中の炊きあがった白米の表面に、味付けをした鶏肉とそぎ牛蒡からなる具材を載せ広げる工程Ａ、ついで、前記釜を再加熱する工程Ｂ、ついで前記加熱を止め、味付け汁が浸透した白米を蒸らす工程Ｃ、ついで前記味付け汁が浸透した白米と前記具材をよくかき混ぜる工程Ｄとからなることを特徴とするものである
【００１０】
再加熱時間は時期によって異なるが、通常、１分２０秒〜１分３０秒程度が適当である。あまり長く再加熱すると、お焦げができ、歩留まりがわるくなる。
【００１１】
加熱を止め、味付け汁が浸透した白米を蒸らす時間は、通常、１５分程度が適当である。なお、加熱を止め、味付け汁が浸透した白米を蒸らしたのち、通常は、寿司桶に返して、全体をムラなく混ぜ合わせる。
【００１２】
鶏めしおむすびは、前記の方法により製造した鶏めしを、例えば図２に示すように、おむすび状に成形したことを特徴とする。
【産業上の利用可能性】
【００１３】
味に濃淡がなく、かつおむすびに成形しやすい鶏めしの製造方法として利用が可能である。
【図面の簡単な説明】
【００１４】
【図１】本発明の実施の一例を示す工程図
【図２】おむすびの一例を示す斜視図
【符号の説明】
【００１５】
Ａ 釜の中の炊きあがった白米の表面に、味付けをした鶏肉とそぎ牛蒡からなる具材を載せ広げる工程                                  
Ｂ釜を再加熱する工程
Ｃ加熱を止め、味付け汁が浸透した白米を蒸ら工程
Ｄ 味付け汁が浸透した白米と前記具材をよくかき混ぜる工程
【図１】
2009189309.tif 000003
【図２】
2009189309.tif 000004
(57)【要約】【課題】ボアサイトを含む３方向にアンテナのビームを制御するシステムを小形・ローコストの給電回路によって可能にする。 【解決手段】１．２つのハイブリッド回路の入力を180°遅延線路で接続し、片側のポートより給電することでアンテナ間位相差±90°を得る。両方のポートより同位相の信号を入力することでアンテナ間位相差0°を得る。 ２．90°の位相をシフトする素子と２つのスイッチで構成されたマトリックス回路により、アンテナ間位相差±90°と位相差0°を得る。 【選択図】図２
2009044495.tif 000002
【特許請求の範囲】
【請求項１】
２つのハイブリッドカプラの２つの入力ポートが、直列につながれた２つの90°位相シフトする素子、でそれぞれつながれており、ハイブリッドカプラの２つの入力の内、片方の入力ポートより信号を入力してアンテナ間の出力信号は±90°の位相差を得る。また２つの直列に接続された90°位相シフトする素子の部分よりハイブリッドカプラの両端子に同位相の信号を入れて、出力信号の位相差0°を得る給電回路。
【請求項２】
アンテナ出力ポート（ANT1、ANT2、ANT3、ANT4）と位相90°をシフトする素子（M1〜M8）とスイッチ（SW1,SW2）、入力ポート（n1〜n3）から構成され、ANT1には、M2,M1、n1が、ANT2にはM1,N2,M6が、ANT3にはM3,M4が、ANT4にはM4,M5が、SW1にはM2,M3,M8が、SW2にはM5,M6,M7が、n3にはM8,M7が接続されている給電回路。
【発明の詳細な説明】
【技術分野】
【０００１】
本発明は、アンテナのビームを、ボアサイトを含む３方向に切り替えを行うための給電回路に関するものである。
【背景技術】
【０００２】
電波の飛んでくる方向を検出するため、または特定の方向に電波を放射するためにアンテナのビーム方向を変える技術が必要である。
電子的にビーム方向を変える技術としてフェイズドアレーアンテナが良く知られているが、大変高価でサイズも大きいため軍事用途やプロフェッショナル用途で用いられている。従来より小形で安価にビームを切り替える回路としてバトラーマトリックス給電回路（図１）が良く知られている。ハイブリッド回路を４つ用いてビーム方向を4方向に切り替える給電マトリックス回路である。
【発明の開示】
【発明が解決しようとする課題】
【０００３】
しかし、バトラーマトリックス回路は、ハイブリッド回路を４つ用いているため民生の製品で用いるにはまだ十分な小形化がされているとはいず民生の製品にバトラーマトリックスが用いられることはまれである。また、バトラーマトリックスはビームをボアサイト方向に向けることができない欠点を持っていた。アンテナを用いたシステムでは、ボアサイト方向のビームを重要とするシステムが多いため問題となっていた。
【課題を解決するための手段】
【０００４】
２つのハイブリッドカプラを用いて、それぞれの片方の入力より信号を入力することで、アンテナ間の出力信号に±90°の位相差を持たせ、それぞれの両方の入力より同位相の信号を入力することでアンテナ間の位相差0°を得ることができ、アンテナのビームをボアサイトを含む3方向に切り替えることができることを特徴とする。
【発明の効果】
【０００５】
２つのハイブリッドカプラで構成できるため、バトラーマトリックスより小形にできる。また、位相差0°を得ることができるため、アンテナのボアサイト方向にビームを向けることができる利点がある。
【実施例１】
【０００６】
図２は、本発明装置の実施例１の回路図である。
SW1をON、他のスイッチをOFFにして ポートAより信号を入力すると、アンテナ出力の位相はANT１＝−90°、ANT2＝−180°、ANT3＝―270°、ANT4＝0°となり、アンテナ間はANT1を基準として−90°の位相差となる。
次にSW2をON、他のスイッチをOFFにしてポートBより信号を入力すると、アンテナ出力の位相はANT１＝−180°、ANT2＝−90°、ANT3＝0°、ANT4＝−270°となり、アンテナ間はANT1を基準として＋90°の位相差となる。
次にSW3、SW4をON、他のスイッチをOFFにしてポートCより信号を入力すると、アンテナ出力の位相は−135°となり、アンテナ間は、位相差0°となる。
【実施例２】
【０００７】
図３は、本発明装置の実施例２の回路図である。
90°の位相をシフトする素子としてM１〜M6の伝送線路と、M8とM7の伝送線路が用いられて構成されており、特性インピーダンスはそれぞれZ0とZ0/√2であり、線路長は両方ともλ/４である。n3には複素成分を取除くためにショートスタブB2が取り付けられている。
SW1をOFF、SW2をONにしてｎ1に信号を入力する。アンテナ出力ポートにはANT1＝0°、ANT2＝−90°、ANT3＝−180°、ANT4＝−270°の位相が出力される。アンテナ間の位相差はANT1を基準とすると−90°になる。
次にSW1をON、SW2をOFFにしてｎ２に信号を入力する。アンテナ出力ポートにはANT1＝−90°、ANT2＝0°、ANT3＝−270°、ANT4＝−180°の位相が出力される。アンテナ間の位相差はANT1を基準とすると+90°になる。
次にSW1とSW2をOFFにしてn3より信号を入力する。全てのアンテナ出力は−90°の位相が出力され、アンテナ間は0°となる。
【産業上の利用可能性】
【０００８】
ボアサイトを含む３方向にアンテナのビームを制御するのに、本給電回路を用いることで小形・ローコストで製作可能となる。
【図面の簡単な説明】
【０００９】
【図１】バトラーマトリックスの構成図である。（技術背景）
【図２】２つのハイブリッド回路を用いた3方向ビーム制御給電マトリックスの構成図である。（実施例１）
【図３】λ/４線路を用いた3方向ビーム制御給電マトリックスの構成図である。（実施例２）
【符号の説明】
【００１０】
１    放射ビーム
２    アレーアンテナ
３    ハイブリッドカプラ  HB
４    45°遅延伝送線路
５    入力ポート  a1〜a4
６    アンテナ出力ポート  ANT1〜ANT4
７    ３dBハイブリッドカプラ  HB1、HB2
８    λ/４線路長伝送線路
９    スイッチ  SW1〜SW4
１０    入力ポート  A,B,C
１１    アンテナ出力ポート  ANT1〜ANT4
１２    λ/４線路長伝送線路  M1〜M8
１３    入力ポート  n1〜n3
１４    スイッチ  SW1、SW2
【図１】
2009044495.tif 000003
【図２】
2009044495.tif 000004
【図３】
2009044495.tif 000005
(57)【要約】【課題】  本発明は、異種の天然無垢材を組み合わせて製作し装飾用、観賞用、贈り物用に提供する球体の製造法を得ることにある。【解決手段】    断面が馬蹄型の挿入体１を挿入体１が密着挿入できる切り欠きを有した導入体２に挿入固着した合成体をその中心で球状に切削形成することで球体の製造法を構成している。又馬蹄型の種類で球体が円型馬蹄形は野球ボールとソフトボールに、Ｕ型馬蹄形はテニスボールに楕円型馬蹄形はバスケットボールに完成する球体の製造法を提供する。そして挿入体の中心部を抉り取ることで軽量になる大型な球体の製造法を提供する。【選択図】      図１
2009225819.tif 000002
【特許請求の範囲】
【請求項１】
断面が馬蹄形の挿入体１を挿入体１が密着挿入できる切り欠きを有した導入体２に挿入固着した合成体をその中心で球状に切削成形してなる球体の製造法。
【請求項２】
球体に切削成形後挿入体１と導入体２の境界などにラインや縫い目を書き込んだ請求項１に記載の球体の製造法。
【請求項３】
断面の馬蹄形で異なった球体になる請求項１に記載の球体の製造法。
【請求項４】
挿入体１の中心部を球状に抉った請求項１に記載の球体の製造法。
【発明の詳細な説明】
【技術分野】
【０００１】
本発明は木などで作る野球ボール、ソフトボール、テニスボール、バスケットボールの球体の製造法に関する。
【背景技術】
【０００２】
従来の球体は木の単体を球状に切削し彫刻や筆書きでラインや縫い目模様などを施して構成されている。
【０００３】
しかしながらこれらの球体は愛犬のおもちゃなどであり天然素材のよさが十分表現されてなくあまり出回っていなかった。    
【発明の開示】
【発明が解決しようとする課題】
【０００４】
本発明は、以上のような従来の欠点に鑑み異なった天然無垢材で出来た挿入体１と導入体２を使用した球体の製造法を提供する事を目的としている。
【０００５】
卒業、還暦、結婚、上棟、開店の祝い事や必勝、開運などの寄せ書き用やスポーツ大会の景品や参加賞に提供する事を目的としている。
【０００６】
そして高級で希少な材料でおもちゃや健康用具として提供することを目的としている。
【課題を解決するための手段】
【０００７】
上記目的を達成するために本発明は断面が馬蹄形の挿入体１を挿入体１が密着挿入できる切り欠きを有した導入体２に挿入固着した合成体をその中心で球状に切削成形することにより球体を構成している。
【発明の効果】
【０００８】
以上の説明で明らかなように本発明にあっては次に列挙する効果が得られる。
（１）断面が馬蹄形の挿入体１を挿入体１が密着挿入できる切り欠きを有した導入体２に挿入固着した合成体をその中心で球状に切削成形して構成されているので異種の材料を使用できる。
【０００９】
（２）したがって前記(１)によって新材はもとより端材や間伐材なども使用でき天然無垢材の良さ余すことなく利用することが出来る。
【００１０】
（３）請求項３は断面の馬蹄形を変えることで円型馬蹄形は野球ボール、ソフトボールに、Ｕ型馬蹄形はテニスボールに、楕円型馬蹄形はバスケットボールになり前記（１）（２）と同様の効果が現れる。
【００１１】
（４）請求項４は挿入体１の中心部を抉ることで空洞になり軽量化でき大型なものも製作可能である。
【００１２】
（５）卒業、還暦、結婚、上棟、開店などの祝い事や必勝、開運などの願い事の寄せ書き用の贈り物やスポーツ大会の景品や参加賞に提供する事が出来る。
【発明を実施するための最良の形態】
【００１３】
以下、本発明の実施の形態を図に基ずいて説明する。
【実施例１】
【００１４】
図１は本発明の実施例で円型馬蹄形の挿入体１を導入体２に挿入固着の合成体を球状に切削成形後の斜視図である。
【実施例２】
【００１５】
図２は本発明の実施例の斜視図であって円型馬蹄形の挿入体１を導入体２に挿入固着の合成体である。この後図１の球体に切削成形し野球ボール及びソフトボールに完成する。
【００１６】
図１２．１４．１６は図１１の断面図で球の中心を球状に抉ったことを示している。
【産業上の利用可能性】
【００１７】
本発明は球体を製造する産業で使用される。
【図面の簡単な説明】
【００１８】
【図１】本発明の円型馬蹄形の合成体を球体に切削した斜視図である。
【図２】本発明の円型馬蹄形の合成体の斜視図である。
【図３】本発明の円型馬蹄形の導入体の斜視図である。
【図４】本発明の円型馬蹄形の挿入体の斜視図である。
【図５】本発明のＵ型馬蹄形の合成体の斜視図である。
【図６】本発明の楕円型馬蹄形の合成体の斜視図である。
【図７】本発明のＵ型馬蹄形の合成体を球体に切削した斜視図である。
【図８】本発明の楕円型馬蹄形の合成体を球体に切削した斜視図である。
【図９】本発明で完成した野球ボールの斜視図である。
【図１０】本発明で完成したバスケットボールの斜視図である。
【図１１】本発明の円型馬蹄形の合成体を切削後の平面図である。
【図１２】図１１の断面図である。
【図１３】本発明の円型馬蹄形の合成体を切削後の右側面図である。
【図１４】図１３の断面図である。
【図１５】本発明の円型馬蹄形の合成体を切削後の正面図である。
【図１６】図１５の断面図である。
【符号の説明】
【００１９】
１  挿入体
２  導入体
【図１】
2009225819.tif 000003
【図２】
2009225819.tif 000004
【図３】
2009225819.tif 000005
【図４】
2009225819.tif 000006
【図５】
2009225819.tif 000007
【図６】
2009225819.tif 000008
【図７】
2009225819.tif 000009
【図８】
2009225819.tif 000010
【図９】
2009225819.tif 000011
【図１０】
2009225819.tif 000012
【図１１】
2009225819.tif 000013
【図１２】
2009225819.tif 000014
【図１３】
2009225819.tif 000015
【図１４】
2009225819.tif 000016
【図１５】
2009225819.tif 000017
【図１６】
2009225819.tif 000018
(57)【要約】【目的】  この開閉式刈払機用寄刈具を取付け、従来と同じ刈払い作業をすれば、開閉式寄刈具と刈刃の間に刈った草等が詰まることなく、簡単に寄刈りが出来、作業能率のアップと労働力んんの軽減をはかることができ、また、刈刃の回転軸への巻きつきを、防止できるため、刈払機のクラッチの寿命を延ばすことができる。尚、土手等の刈り上げがスムーズにできるのも、この開閉式刈払機用寄刈具の特徴である。【構成】  刈払機のメインパイプに取付けるための取付金具（１）に、固定板（２）を取付け、固定板（２）に回動板（３）を蝶着し、固定板（２）には上下調整機能をもたせ、回動板（３）の端（４）が、刈刃（５）の下の草や地面に接するようにする。【選択図】図４
2009225778.tif 000002
【特許請求の範囲】
【請求項１】
刈払機のメインパイプに取付けるための取付金具（１）に、固定板（２）を取付け、固定板（２）に回動板（３）を蝶着する。
【請求項２】
固定板（２）に上下調整機能をもたせる。
【請求項３】
回動板（３）の端（６）が、刈刃（７）の下の草や地面に接するようにする。
【発明の詳細な説明】
【技術分野】
【０００１】  本発明は、刈払機で草を刈る際、刈った草が、後方へ飛び散るのを防止できるため、集草作業の軽減にたいへん効果的であり、また、刈刃の回転軸へ刈った草等の巻きつきを、防止する機能を持たせた、開閉式刈払機用寄刈具に関するものである。
【背景技術】
【０００２】従来、刈払機で草を寄刈りをする際には，飛散防止カバーを刈刃の面に近づけたり、また、メインパイプに板や棒状のものを固定して、刈刃の面との隙間を小さくして寄刈作業をしていた。【０００３】  しかし、従来のものは、刈刃との隙間が狭すぎると、すぐに詰まりやすく、また、隙間が広すぎると、集草効果が低くなった。また、刈った草等が、刈刃との間につまると、刈払機を降ろして、エンジンを停止し、つまった草等を取り除き、再始動しなくてはならなかった。なお、刈刃とメインパイプの取付角度は、各メーカー毎に異なり，従来までは、どのメーカーにも適応できるものはなかった。【０００４】  尚、本願発明に関連する公知技術として次の特許文献１を挙げることが出来る。【０００５】
【特許文献１】  特開２００５−０１３１８８公報
【発明が解決しようとする課題】
【０００６】  上記の如く、従来の技術では、集草部と刈刃との隙間が狭すぎると、すぐに、つまり易く、また、隙間が広ぎると、刈った草がその隙間から後方へ、飛び散り集草効果が落ちた。
また、従来の技術では、集草部が固定されているため、刈った草がつまり易く、刈払機のクラッチの耐久性を短くする原因となっていた。
【０００７】  このため、作業中に刈った草が、刈刃との隙間に詰まった時は、その都度、刈払機を降ろして、エンジンを停止し、詰まった草を取り除き、再始動しなくてはならず、たいへん面倒であった。
【０００８】  また、刈払機の刈刃のメインパイプ取付角度は、各メーカー毎に異なるにもかかわらず、取付調整できるものがなっかったため、作業現場において、不具合を生じていた。本発明は、以上のような欠点をなくすためになされたものである。
【課題を解決するための手段】
【０００９】  刈払機のメインパイプに取付けるための取付金具（１）に、固定板（２）を取付け、回動板（３）を蝶着する。
【００１０】  固定板（２）に上下調整機能をもたせる。
【００１１】  回動板（３）の端（６）が、刈刃（７）の下の草や地面に接するようにする。
本発明は、以上の構成よりなる開閉式刈払機用寄刈具である。
【発明の効果】
【００１２】  以上説明したように、本発明によれば、これを刈払機のメインパイプに取付け、従来と同じ刈払い方法で作業するだけで、刈払時は、回動板（３）が閉じているため、刈った草などが、後方へ飛び散ったり、回転軸に巻きつくことがない。仮に、回動板（３）と刈刃（７）の間に刈った草等が、詰まったとしても、回動板の端（６）が、刈刃（７）の下の草や地面に接しているため、次の刈り始めの位置に刈刃を戻す間に、回動板（３）が開き、その都度取り除かれてしまう。
【発明の実施するための最良の形態】
【００１３】  以下、本発明の実施するための最良の形態について、説明する。
【００１４】  刈払機のメインパイプに取付けるための取付金具（１）に、固定板（２）をボルト（４）とナット（５）で取付け、固定板（２）に回動板（３）を蝶着する。
【００１５】  固定板（２）に上下調整機能をもたせる。
【００１６】  回動板（３）の端（６）が、刈刃（７）の下の草や地面に接するようにする。
本発明は、以上のような構造である。
【実施例】
【００１７】  これを使用するときは、回動板（３）と刈刃（７）の隙間が、０．５ｍｍ前後になるように、ナット（５）をゆるめ、上下調整機能をもたせた固定板（２）に、蝶着された回動板（３）を上下させて調整しナット（５）を締めれば、取付けが完了し、あとは、通常の作業を行えばよい。
【図面の簡単な説明】
【００１８】
【図１】  本発明の正面図
【図２】  本発明の斜視図
【図３】  本発明の回動板を裏返しした図
【図４】  本発明の回動板が開いている図
【符号の説明】
【００１９】  １  取付金具
２  固定板
３  回動板
４  刈刃
５  回動板の端
６  ボルト
７  ナット
【図１】
2009225778.tif 000003
【図２】
2009225778.tif 000004
【図３】
2009225778.tif 000005
【図４】
2009225778.tif 000006
(57)【要約】【課題】  携帯用機器で、外部からの「振動の力」（例えば、乗り物に乗っている時の振動・徒歩時の振動など）を利用して効率的に電流を発電することを目的とする。【解決手段】  装置内に、Ｎ極・Ｓ極を交互に配置した磁石の面と、コイルを並べた面とを平行に配置し、磁石部分は振動による可動、コイル部分は動かないよう装置に固定とする。  外部からの振動を与えることにより磁石が縦横に動いて各コイルからそれぞれ誘導電流が発電されるので、それを整流回路に接続し、各コイルからの電流の向きを効率よく合成して取り出せるよう設計する。  この装置により、携帯用機器（ミュージックプレーヤー・携帯電話・その他の電子機器など）において、この装置を接続（または内蔵）させ、電車などの乗り物による振動・徒歩時の振動などを利用して、自動的に充電用電池を充電させることができる。【選択図】図２
2009225650.tif 000002
【特許請求の範囲】
【請求項１】
携帯用の装置で、外部からの振動力を利用することによって、磁石のＮ極・Ｓ極を交互に配置した面をコイルに対して動かして電磁誘導で発電する装置。
【請求項２】
請求項１の方法を、磁石のＮ極・Ｓ極を平面上で縦横とも交互に並べて、縦横どちらの方向の振動に対しても動作が可能としたもの。
【発明の詳細な説明】
【技術分野】
【０００１】  本発明は、電源や電池などを用いずに振動の力で発電する方法に関する。
【背景技術】
【０００２】  これまで、電源や電池などを用いずに携帯用機器で発電する技術には、太陽光発電、手回し発電などがあったが、外部からの「振動の力」（例えば、乗り物に乗っている時の振動・徒歩時の振動など）を利用して発電する効率性には限界があった。
【発明の開示】
【発明が解決しようとする課題】
【０００３】  本発明は、携帯用機器で、太陽光発電や手回し発電よりも利便性を求め、外部からの振動の力で自動的に発電や充電をすることを目的とするが、より効率的に振動を利用して電磁誘導で発電する装置を設計する。
【課題を解決するための手段】
【０００４】  携帯可能な装置内において、Ｎ極・Ｓ極を交互に並べて配置した磁石を、外部からの振動によって可動するようにし、それに対して、コイルを同様にして並べたものを平行に配置し、これは動かないよう装置に固定する。（またはその逆でもよい。）振動で磁石のＮ極・Ｓ極が交互にコイルに近づくことにより、次々と電磁誘導を導くことが可能である。【０００５】  さらに、Ｎ極・Ｓ極を交互に並べる配置において、これを平面上で縦横とも交互に配置する。これにより、縦横どちらの振動に対しても効率よく電磁誘導を導くことができる。
【発明の効果】
【０００６】  本発明を使用した装置により、携帯用機器の充電用電池を、充電することを意識せずに、持ち歩いているだけで自動的に充電することが可能となる。また、Ｎ極・Ｓ極を交互に配置した磁石をコイルに対して動かして、それぞれのＮ極・Ｓ極がコイルに近づく度に次々と電磁誘導が起こり発電するため、交互に配置していない場合に比べて、振動から効率的に発電を取り出すことができる。【０００７】  これを、図２のように平面上で配置することにより、縦横どちらの振動の力に対しても磁石が動いて発電ができるので、日常の振動をより効率よく発電に変えることができる。【０００８】  また、１つあたりのＮ極・Ｓ極・コイルの輪の面積をそれぞれ小さくして細かく配置することで、より小さな振動に対しても電磁誘導を起こして発電することが可能である。必要に応じて本装置は薄型化でき、小型化が可能である。
【発明を実施するための最良の形態】
【０００９】  図１に示すように、磁石のＮ極・Ｓ極を交互に配置した部分を、外部からの振動によって可動するものとする。それに対して、コイルを並べた部分を装置に固定して設計する。磁石のＮ極・Ｓ極が並んでいる面と、コイルを並べた面とを平行に配置する。【００１０】  振動によって可動部分が動きやすいように、表面は平滑にする。必要に応じて、ローラー・球状ローラー・滑りやすい素材・潤滑剤、また両端にばね等も設置してもよい。【００１１】  外部からの振動を与えることによって磁石が動き、磁石とコイルによって、各コイルに電磁誘導が起こり誘導電流が発電されるので、それを整流回路に接続し、各コイルからの電流の向きを効率よく合成して取り出せるよう整流回路を設計する。【００１２】  なお、これとは逆に、磁石側を固定してコイル側を可動とし、同様の効果を得ることも可能である。【００１３】  さらに、図２のように、磁石のＮ極・Ｓ極を交互に並べる配置において、これを平面上で縦横とも交互に配置する。コイルの面も同様に平面上に配置した上で、これらを平行に設置し、図１と同様の断面図にして、磁石部分を振動による可動、コイル部分を装置に固定とする。（またはその逆でもよい。）【００１４】  これにより、縦横どちらの方向の振動の力に対しても磁石が動くので電磁誘導が起こり、効率よく発電が可能である。
【実施例】
【００１５】  携帯用機器（ミュージックプレーヤー・携帯電話・その他の電子機器など）において、この装置を接続（または内蔵）させ、電車などの乗り物による振動・徒歩時の振動などを利用して、自動的に充電用電池を充電させることができる。例えば日常生活で電車などの振動を利用できる人が使用することで、「毎日充電しなくてもよい携帯電話用充電池」などとしての応用が期待できる。
【図面の簡単な説明】
【００１６】
【図１】振動によってＮ極・Ｓ極を交互に配置した磁石が動く装置の断面図
【図２】Ｎ極・Ｓ極・コイルを各平面上に配置した装置の設計図
【符号の説明】
【００１７】  １  Ｎ極・Ｓ極を交互に配置した永久磁石
２  コイルを並べたもの
３  ローラー、球状ローラー、または滑りやすい素材・潤滑剤など
４  装置に固定部分
５  振動による可動部分（表面は平滑に、滑りやすい素材のもので）
【図１】
2009225650.tif 000003
【図２】
2009225650.tif 000004
【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
携帯用の装置で、磁石のＮ極・Ｓ極を、平面上で磁極を格子模様に縦横それぞれ交互にして、網目状に並べて配置した面を、外部からの振動力を利用することによってコイルを並べた面に対して動かして電磁誘導で発電する装置。
(57)【要約】【課題】  電気動力モーターで走行する場合、バッテリー容量の放電時までしか走行する事が出来ない。【解決手段】  電気動力モーターで走行中に、ドライブシャフト、プロペラシャフト等回転部に複数の発電機を取り付け、複数のバッテリーに充電する。電気動力モーターを駆動させるバッテリーが放電した場合は次のバッテリーが放電して駆動させ、放電したバッテリーは複数の発電機により順次充電される。この事を繰り返す事により走れば走るほど走行距離は伸びる。【選択図】図１
2009225651.tif 000002
【特許請求の範囲】
【請求項１】
複数の発電機、複数のバッテリーを使用した、自走充電システム。
【発明の詳細な説明】
【技術分野】
【０００１】  電気動力モーターで走行中に、シャフト又は、回転部に複数の発電機を取り付けて発電し、複数のバッテリーに充電する。走行中に回転部に取り付けた発電機で発電された電力は複数のバッテリーに充電される。バッテリーは駆動動力電気モーターを駆動させる事により放電するが、次のバッテリーを使用する事で走行する事が出来る。放電したバッテリーは走行中に複数の発電機より充電される、これを繰り返す事により、走れば走るほど走行距離は伸びる。
【背景技術】
【０００２】  電気動力モーターで走行する場合、その電気動力モーターを動かすバッテリー容量で走行距離が決まってしまう。バッテリーを複数にし、そのバッテリーに充電する発電機も複数にする事により、走行中に充電する事が出来、放電、充電を繰り返す事で走行距離は伸びる。
【発明の開示】
【発明が解決しようとする課題】
【０００３】  現在の電気動力モーター使用の、自動車、船、バイク、電動自転車等は、バッテリーが放電する迄の走行距離しか使用する事が出来ない。
【課題を解決するための手段】
【０００４】  電気動力モーターで走行する為にはバッテリーを使用するが、走行中に回転するドライブシャフト、プロペラシャフト等回転している部分に複数の発電機を取り付け、複数のバッテリーに充電を行う。バッテリー（１）で走行し、バッテリー（１）が放電した場合は、バッテリー（２）で走行し、バッテリー（１）とバッテリー（３）に充電し、バッテリー（２）が放電した場合は、バッテリー（３）で走行し、バッテリー（２）とバッテリー（１）に充電し、バッテリー（３）が放電した場合は、バッテリー（１）で走行し、バッテリー（２）とバッテリー（３）に充電する。走行中はこれを繰り返し行う事により、走行距離は伸びる。
【発明の効果】
【０００５】  現在、主たる動力はガソリンエンジン、ジーゼルエンジン等の内燃機動力が主で有るが、ＣＯ２、温暖化等、公害を齎している。電気動力モーターは公害を出す事も無い。複数発電機、複数バッテリーを使用する事により、自動車、船、バイク、電動自転車等は、走行すればするほど走行距離を伸ばす事が出来る。
【発明を実施するための最良の形態】
【０００６】  電気動力モーターで走行する場合、そのモーターの消費電力とバッテリーの問題が有り、バッテリー容量以上、消費電力以上を発電する事は出来ないが、複数の発電機と複数のバッテリーを使用する事により、順次発電と充電を繰り返し消費電力以上のバッテリー容量が得られ保持する事が出来る。自動車、バイク、電動自転車等はバッテリー不足になった場合は、家庭のコンセントから充電する事も出来る。
【実施例】
【０００７】
【図面の簡単な説明】
【０００８】
【図１】配線図
【符号の説明】
【０００９】１  Ｍ  モーター
２  Ｇ  発電機（ダイナモ）
３  Ｂ  バッテリー
【図１】
2009225651.tif 000003
(57)【要約】  【課題】車両用主電動機に使用している軸受は，主電動機の運転を続けるにつれ磨耗が進行し交換する必要が生じる。このため，軸受部を固定子及び回転子から取外す必要があった。  【解決手段】軸受箱と固定子枠との嵌合部の構成を変更し、軸受箱の取外し又は組込み時には、専用の工具を使用することである。玉軸受を交換するために軸受部を主電動機本体から取外す際に、固定子から回転子を分離すること無く、軸受箱と玉軸受を取外し、玉軸受の交換を可能とすることで、分解保守を簡略化することができる。【選択図】図１
2009225532.tif 000002
【特許請求の範囲】
【請求項１】
車両用主電動機の軸受箱を交換するに際して、該車両用主電動機の反伝動側の該軸受箱に玉軸受を組込んでいる組立品(以下：軸受部)を前記車両用主電動機の固定子の横筒状の空洞に回転自在に備わる回転子を該固定子に対して回転子軸の前後方向に相対移動させて前記固定子から該回転子を引き抜くことなく前記軸受部を前記車両用主電動機の本体から取り外すことを特徴とする車両用主電動機の軸受部交換方法
【発明の詳細な説明】
【技術分野】
【０００１】
本発明は、反伝動側の軸受を交換する際に、固定子から回転子を引き抜く必要が無い、反伝動側の軸受部の構成及び、軸受部の分解組立方法に関するものである。
【背景技術】
【０００２】
車両用主電動機に使用している軸受は，主電動機の運転を続けるにつれ磨耗が進行し寿命に至るため交換する必要が生じる。このため，軸受部を固定子及び回転子から取外す必要がある。
【０００３】
この状態は図３に示される。
図３はその従来の一例を示す説明図であり、１は固定子、２は回転子、３は玉軸受、４は軸受箱、５は軸受カバ、６は軸受押え、７は３と４を組立てした軸受部、８は軸受箱の嵌合部、９は固定子の嵌合部、１０は回転子軸、１１は回転子吊り工具、１２はギャップである。
図３において、軸受部７は回転子２に取付けられたまま、固定子１から引抜かれている。
【特許文献１】特開２００１−２５８２１４公報
【発明の開示】
【発明が解決しようとする課題】
【０００４】
しかしながら、このような手段では次のような課題があった。
玉軸受３を交換するために軸受部７を主電動機本体から取外す際には、軸受箱の嵌合部８が固定子の嵌合部９よりも機内側にあるため、軸受部７のみを主電動機本体から取外すことができない。このため、軸受部７は回転子２に取付けしたまま、固定子１から取外す必要があり、固定子１から回転子２を引き抜くことになる。
【０００５】
これを解消するためには、軸受部７を反伝動側方向へ取外せる構造にすれば良い。軸受箱の嵌合部８が機外側、固定子の嵌合部９が機内側となるように位置関係を変更しただけでは軸受部７を引抜く際に回転子２がギャップ１２の隙間だけ下がり、軸受部のラビリンス部の隙間がギャップ１２の隙間よりも狭いため干渉し、軸受部７の組込み時の障害となる。
【０００６】
本発明は、上述した点に鑑みて創案されたもので、その目的とするところは、これらの課題を解消し、固定子から回転子を引き抜くこと無く、軸受部を取外し、玉軸受の交換を可能とすることで、分解保守を簡略化することができる車両用主電動機を提供することにある。
【課題を解決するための手段】
【０００７】
請求項１の発明によれば、車両用主電動機の軸受箱に備わる軸受を交換するに際して、該車両用主電動機の反伝動側の該軸受箱に玉軸受を組込んでいる組立品(以下：軸受部)を前記車両用主電動機の固定子の横筒状の空洞に回転自在に備わる回転子を該固定子に対して回転子軸の前後方向に相対移動させて前記固定子から該回転子を引き抜くことなく前記軸受部を前記車両用主電動機の本体から取り外すことを特徴とする。
【０００８】
つまり、その目的を達成するための手段は、軸受箱と固定子枠との嵌合部の構成を変更し、軸受箱の取外し又は組込み時には、専用の工具を使用することである。
【発明の効果】
【０００９】
以上説明したように本発明によれば、玉軸受を交換するために軸受部を主電動機本体から取外す際に、固定子から回転子を分離すること無く、軸受箱と玉軸受を取外し、玉軸受の交換を可能とすることで、分解保守を簡略化することができ実用上極めて有用性の高いものである。
【発明を実施するための最良の形態】
【００１０】
図１、２は本発明の一実施例を示す説明図であり、図１は軸受部の固定子及び回転子への組込み方法を示し、図２は軸受部の固定子及び回転子からの取外し方法を示す。
１３は端軸、１４はボルト、１５は軸受押し金、１６は組込み用支え板、１７はボルト、１８は組込み用ボルト、１９は分解用支え板、２０はボルト、２１は回転子支えである。
なお、図３と同符号のものは、同じ構成、機能を有する部分である。
【００１１】
図１において、軸受部７の組込み手順は左図→右図の順に示している。図２においても同様に、軸受部７の取外し手順は左図→右図の順に示している。
なお、図１、２は軸受カバ５及び軸受押え６を取外した状態である。
【実施例１】
【００１２】
図１において軸受部７の組込み手順を示す。
端軸１３を回転子軸１０に取付け、軸受部７を端軸１３に通す。
固定子１の中心と回転子２の中心とがほぼ同一となるよう、回転子支え２１で端軸１３を介して回転子２を支える。端軸１３を取付することにより、回転子２がギャップ１２だけ下がることを防ぐことが可能となる。次に組込み用支え板１６を固定子１の端面に予め設けられている取付ボルト用穴を使用して取付け、軸受押し金１５、組込み用支え板１６、ボルト１７及び組込み用ボルト１８を使用して軸受部５を固定子１及び回転子２に組込む。
【００１３】
図２において、軸受部７の取外し手順を示す。
軸受カバ５及び軸受押え６を取外す。端軸１１を回転子軸８に取付け、固定子１の中心と回転子２の中心とがほぼ同一となるよう、回転子支え２１で端軸１３を介して回転子２を支える。
分解用支え板１９を軸受箱４に取付け、組込み用ボルト１８を用いて軸受部７を固定子１及び回転子２から取外す。
【００１４】
軸受押し金１５には回転子支え２１と干渉する部分に切り欠きを設けている。
【００１５】
分解用支え板１９には回転子支え２１と干渉する部分に切り欠きを設けている。
【図面の簡単な説明】
【００１６】
【図１】本発明の実施例を示す軸受部の組込み時の説明図である。
【図２】本発明の実施例を示す軸受部の取外し時の説明図である。
【図３】従来の一例を示す説明図である。
【符号の説明】
【００１７】
１    固定子
２    回転子
３    玉軸受
４    軸受箱
５    軸受カバ
６    軸受押え
７    軸受部（３と４を組立てたもの）
８    軸受箱の嵌合部
９    固定子の嵌合部
１０  回転子軸
１１  回転子吊り工具
１２  ギャップ
１３  端軸
１４  ボルト
１５  軸受押し金
１６  組込み用支え板
１７  ボルト
１８  組込み用ボルト
１９  分解用支え板
２０  ボルト
２１  回転子支え
【図１】
2009225532.tif 000003
【図２】
2009225532.tif 000004
【図３】
2009225532.tif 000005
(57)【要約】      （修正有）【課題】コンテンツ提供からシナリオ作成までの情報提供システムを提供する。【解決手段】コンテンツ提供会社と契約を結び、コンテンツをコンテンツ提供会社とは異なるサーバーに置き、コンテンツ提供会社とは異なるはユーザーのコンテンツ提供の依頼により、ユーザーにコンテンツを提供する。【選択図】図１
2009009476.tif 000002
【特許請求の範囲】
【請求項１】
コンテンツ提供会社と契約を結び、コンテンツをコンテンツ提供会社とは異なるサーバーに置き、コンテンツ提供会社とは異なるはユーザーのコンテンツ提供の依頼により、ユーザーにコンテンツを提供するビジネスモデルである。
【請求項２】
マルチインフォメーションシステム88のシナリオ作成機能を利用して、ユーザーが
一つのシナリオを作成したら、ユーザーと関係ある子会社にもシナリオの内容を表示できる。
【発明の詳細な説明】
【技術分野】
【０００１】
本発明は、コンテンツ提供からシナリオ作成までの情報提供システムである。
【背景技術】
【０００２】
大型ディスプレーにコンテンツを表示することにより、お客様へのアピールまたは情報提供を行うビジネスモデルである。
【特許文献１】特開２００５−７９０４０
【発明の開示】
【発明が解決しようとする課題】
【０００３】
コンテンツを作成するのが面倒で、より良いコンテンツが作られない、早急にコンテンツがほしい場合など、ユーザーに対してすごく困ります。また、セキュリティーの関係で、データ間のやり取りがうまくいけないなどの問題もあります。
【課題を解決するための手段】
【０００４】
コンテンツ提供会社と契約を結び、コンテンツがコンテンツ提供会社とは異なるサーバーに置き、ユーザーがコンテンツ依頼により必要なコンテンツを提供する。また、マルチインフォメーションシステム88のシナリオ作成機能を利用して、全国に多数の店に展開するとき、共通のコンテンツを作れば、各店に共有することができる。
【発明の効果】
【０００５】
ユーザーにとって手間がかからなく迅速的にコンテンツが手に入れる、コンテンツ提供会社にとって、まとめて一括にコンテンツをコンテンツ提供会社とは異なるサーバーに置くのが便利で、作業量も減らすこともできる。
【発明を実施するための最良の形態】
【０００６】
マルチインフォメーションシステム88を導入に応じて、ユーザーにコンテンツの提供も行います。さらに業種ごとのコンテンツを揃え、コンテンツ提供会社とは異なるサーバーに置き、リアルタイムにユーザーへ提供できるのがベストである。
要求１：ユーザーがシナリオ作成するとき、コンテンツ提供会社とは異なるサーバーに
ほしいコンテンツがおいてない場合、コンテンツ提供会社とは異なるにコンテンツ提供依頼。
要求２：コンテンツ提供会社とは異なるはユーザーの依頼を受け、コンテンツ提供会社に要求する。
提供1：コンテンツ提供会社がコンテンツ提供会社とは異なるの依頼を受け、コンテンツを提供する。
提供２：ユーザーが依頼されたコンテンツをサーバーに置き、ユーザーが自動的に取出す。
（１）：各支店が本社のシナリオ（コンテンツ）を共有する
【図面の簡単な説明】
【０００７】
【図１】コンテンツ提供イメージ図である。
【図１】
2009009476.tif 000003
(57)【要約】      （修正有）【課題】ホテル、百貨店、駅、家屋等の壁において、生活に潤いや安らぎや癒しを与えることの可能な壁を提供する。【解決手段】森、海岸、公園、山、湖、ジャングル、観光地等を電子ペーパーもしくは薄型の表示装置に電子的に表示する。そうすることにより、自然の中にいるような雰囲気が味わえる。また、電子的に音声を組み込むことにより、川のせせらぎ、鳥のさえずり、潮騒等を味わうことも可能となる。そうすることにより、生活に潤いとか、安らぎとか、癒しを実現することが可能となる。【選択図】なし【特許請求の範囲】
【請求項１】
電子的に表示可能な壁。建築資材。家庭の壁。業務用の壁。ホテル／百貨店／スーパー／病院／エステサロン／喫茶店／マンション／ビル／駅／家屋等の壁、及び類似の建造物／建築資材。
【発明の詳細な説明】
【技術分野】
【０００１】本発明は、電子ペーパーもしくは薄型の表示装置を組み込んだり取り付けたりした、電子ウォール（電子壁）又はそれに類似したものに関する。
【背景技術】
【０００２】薄型の電子ペーパーが発明され、実用化された。
【発明の開示】
【発明が解決しようとする課題】
【０００３】電子的に表示をする電子ウォール（電子壁）が無かった。
電子ペーパーもしくは薄型の表示装置を組み込んだり取り付けたりした、電子ウォール（電子壁）が無かった。【０００４】本発明はこうした課題に鑑みてなされたものであり、その目的は、電子ペーパーもしくは薄型の表示装置を組み込んだり取り付けたりした、電子ウォール（電子壁）を実現することである。
【課題を解決するための手段】
【０００５】上記課題を解決するために、本発明は、電子ペーパーもしくは薄型の表示装置を組み込んだり取り付けたりした、電子ウォール（電子壁）を実現する手段を提供するものである。【０００６】従来の壁は固定的なもので、電子的に静止画及び動画を表示できる壁は無かった。
しかし、これでは生活に潤いとか、安らぎとか、癒しが無かった。
電子ペーパーもしくは薄型の表示装置を組み込んだり取り付けたりした、電子ウォール（電子壁）を実現する。
電子ペーパーもしくは薄型の表示装置に、電子的に書き換え可能な静止画及び動画を表示する。
例えば、森、海岸、公園、山、湖、ジャングル、観光地等を電子ペーパーもしくは薄型の表示装置に電子的に表示する。
そうすることにより、自然の中にいるような雰囲気が味わえる。
また、電子的に音声を組み込むことにより、川のせせらぎ、鳥のさえずり、潮騒等を味わうことも可能となる。
そうすることにより、生活に潤いとか、安らぎとか、癒しを実現することが可能となる。
静止画は電子的に書き換え可能であり、ある一定期間表示した後、別の静止画を表示可能である。（電子ペーパーの特長）
一定期間静止画を表示し、飽きたら書き換えた静止画を取り込むことにより、自由に静止画を選択することが可能である。
静止画及び動画のデータは、有線（光ケーブル等を含む）もしくは無線（無線ネットワーク等を含む）により、電子ペーパーもしくは薄型の表示装置に取り込む。
又、デジタルカメラやビデオカメラで撮った、静止画や動画を電子ペーパーもしくは薄型の表示装置に表示することも可能である。
又、インターネットやパソコン等から、静止画または動画を電子ペーパーもしくは薄型の表示装置にダウンロードすることも可能である。
この電子ウォール（電子壁）は、メモリー性のある電子ペーパーを使用しているため、電源無しで半永久的に静止画を表示という電力レス表示が可能である。（電子ペーパーの特長）
(57)【要約】【課題】  従来、ほとんどのデジタルカメラでは、地面すれすれなどから撮るローアングル撮影は、液晶画面がほとんど見えなくなり、撮影が困難であった。また、むき出しになっている液晶画面は、カメラを肩などに下げて持ち歩く時、あらゆる衝撃に常に気を配っていなければならなかった。現在、液晶画面の保護用として、広く粘着性の液晶保護フィルム等が用いられているが、これらは貼る時に気泡が入るなどして取り扱いにくい上、薄くて傷つき易く頻繁に取り替えなければならず、大変不経済であった。【解決手段】液晶カバー（１）の内側に鏡（２）を設ける。ヒンジ（３）部分に三脚穴位置微調整窓（４）を設ける。三脚穴位置微調整窓（４）に三脚穴取り付けねじ（５）を設ける。以上のような構成よりなる、ローアングル撮影用鏡付き液晶カバーである。【選択図】図３
2009009077.tif 000002
【特許請求の範囲】
【請求項１】
液晶カバー（１）の内側に鏡（２）を設け、ヒンジ（３）に接合し、ヒンジ（３）の三脚穴位置微調整窓（４）に三脚穴取り付けねじ（５）を装着した、ローアングル撮影用鏡付き液晶カバー。
【発明の詳細な説明】
【技術分野】
【０００１】  本発明は、デジタルカメラの三脚穴に取り付けて使用する、ローアングル撮影用鏡付き液晶カバーに関するものである。
【背景技術】
【０００２】  従来、デジタルカメラの一部の機種には、ローアングル撮影が行えるよう、液晶画面自体が飛び出し回転させられるものもあったが、それはごく一部の高価な機種にしか付帯されていない。【０００３】  また、液晶画面の保護材としては、現在、粘着性の液晶保護フィルムが広く用いられている。
【発明の開示】
【発明が解決しようとする課題】
【０００４】  上記のような液晶画面が飛び出す装置が付いていないデジタルカメラでは、地面すれすれからローアングル撮影等をしようとする時、地面に這いつくばって撮影するか、構図は感に頼って撮影するしか無かった。故に失敗も多く、シャッターチャンスも逃す事が多かった。【０００５】  また、液晶画面の保護として、液晶保護フィルムが広く用いられているが、これらは貼る時に気泡が入るなどして取り扱いにくい上、見た目にも悪く、強い衝撃にも弱い。さらに薄くて傷つき易いので頻繁に取り替えなければならず、大変不経済であった。
本発明は、以上のような欠点を除くためになされたものである。
【問題を解決するための手段】
【０００６】  液晶カバー（１）の内側に鏡（２）を設ける。ヒンジ（３）部分に三脚穴位置微調整窓（４）を設ける。三脚穴位置微調整窓（４）に三脚穴取り付けねじ（５）を設ける。
本発明は、以上のような構成よりなるローアングル撮影用鏡付き液晶カバーである。
【発明の効果】
本発明を使用することで、地面すれすれから等のローアングル撮影も、鏡に写る液晶画面の画像は逆さまになるものの、構図は容易に確認することができるので、撮影の失敗が無くなり、シャッターチャンスも逃さずに済むのである。
【０００７】  また、液晶画面を使用しない時は、液晶カバーが液晶画面を強い衝撃などから完璧にガードするのである。
【発明の実施の最良の形態】
【０００８】  以下、本発明の形態を説明する。
（イ）液晶カバー（１）の内側に鏡（２）を設ける。
（ロ）ヒンジ（３）の部分に三脚穴位置微調整窓（４）を設ける。
（ハ）三脚穴位置微調整窓（４）に三脚穴取り付けねじ（５）を設ける。
本発明は、以上の構成による。
【０００９】  本発明を使用する場合は、ヒンジ（３）の三脚穴位置微調整窓（４）に三脚穴取り付けねじ（５）を通し、デジタルカメラ本体（７）の三脚穴に固定する。ヒンジ（３）の角度を調整して、液晶カバーの内側に設けた鏡に液晶画面を写し出し、構図を確認して撮影する。
【図面の簡単な説明】
【００１０】
【図１】本発明の外側の斜視図である。
【図２】本発明の内側の斜視図である。
【図３】本発明の使用形態の斜視図である。
【符号の説明】
【００１１】（１）液晶カバー
（２）鏡
（３）ヒンジ
（４）三脚穴位置微調整窓
（５）三脚穴取り付けねじ
（６）液晶画面
（７）デジタルカメラ本体
【図１】
2009009077.tif 000003
【図２】
2009009077.tif 000004
【図３】
2009009077.tif 000005